(57)【特許請求の範囲】
【請求項１】
プレキャストコンクリート基礎部材を用いた基礎の構築方法であって、
地面に不透過水層を設ける工程と、
前記不透過水層が形成された領域内に仕切材を配置する工程と、
前記仕切材で仕切られた区画にセルフレベリング材をそれぞれ打設する工程と、
前記セルフレベリング材が硬化した後に、その上面にプレキャストコンクリート基礎部材を設置する工程とを備え、
前記仕切材は、弾性部材であるとともに、
前記仕切材の配置後に、加圧固定手段により前記仕切材の上面の高さを調整し、前記加圧固定手段の上面の高さに合わせて水糸を配置し、前記水糸の高さに合わせてセルフレベリング材を打設することを特徴とする基礎の構築方法。
【請求項２】
プレキャストコンクリート基礎部材を用いた基礎の構築方法であって、
地面に不透過水層を設ける工程と、
前記不透過水層が形成された領域内に仕切材を配置する工程と、
前記仕切材で仕切られた区画にセルフレベリング材をそれぞれ打設する工程と、
前記セルフレベリング材が硬化した後に、その上面にプレキャストコンクリート基礎部材を設置する工程とを備え、
前記仕切材の配置後に、ナイロン材料の水糸を配置し、前記水糸の高さに合わせてセルフレベリング材を打設することを特徴とする基礎の構築方法。
【請求項３】
前記プレキャストコンクリート基礎部材は、前記仕切材を跨って設置されることを特徴とする請求項１に記載の基礎の構築方法。
【請求項４】
前記水糸は、ナイロン材料であることを特徴とする請求項１又は３に記載の基礎の構築方法。
【発明の詳細な説明】
【技術分野】
【０００１】
本発明は、建物等におけるプレキャストコンクリート基礎部材を用いた基礎の構築方法に関するものである。
【背景技術】
【０００２】
従来から、セルフレベリング材を打設した後に、その形成された下地の上にプレキャストコンクリート基礎部材を設置することによって、工期を短縮することができる基礎の構築方法が提案されている（例えば特許文献１，２等を参照）。
【先行技術文献】
【特許文献】
【０００３】
【特許文献１】特開平０４−５３３１号公報
【特許文献２】特開平０８−８５９５９号公報
【発明の概要】
【発明が解決しようとする課題】
【０００４】
しかしながら、プレキャストコンクリート基礎部材は、高い精度で成形されているため、それを設置する下地の水平レベルも高精度でなければ、プレキャストコンクリート基礎部材が傾いたり、不安定な状態になったりしてしまう。
【０００５】
他方、下地を高精度な水平レベルにしたり、上面の凹凸を修正したりするために時間を掛けていては、工期短縮のためにプレキャストコンクリート基礎部材を導入する意味がなくなる。
【０００６】
そこで、本発明は、容易に下地の水平レベル精度を高くでき、プレキャストコンクリート基礎部材を用いた工期を短縮することができる基礎の構築方法を提供することを目的としている。
【課題を解決するための手段】
【０００７】
前記目的を達成するために、本発明の基礎の構築方法は、プレキャストコンクリート基礎部材を用いた基礎の構築方法であって、地面に不透過水層を設ける工程と、前記不透過水層が形成された領域内に仕切材を配置する工程と、前記仕切材で仕切られた区画にセルフレベリング材をそれぞれ打設する工程と、前記セルフレベリング材が硬化した後に、その上面にプレキャストコンクリート基礎部材を設置する工程とを備えたことを特徴とする。
【０００８】
ここで、前記仕切材は、弾性部材であることが好ましい。また、前記プレキャストコンクリート基礎部材は、前記仕切材を跨って設置される構成とすることができる。
【０００９】
さらに、前記仕切材の配置後に、加圧固定手段により前記仕切材の上面の高さを調整し、前記加圧固定手段の上面の高さに合わせて水糸を配置し、前記水糸の高さに合わせてセルフレベリング材を打設することができる。ここで、前記水糸は、水分による伸縮の少ない材料であることが好ましい。
【発明の効果】
【００１０】
このように構成された本発明の基礎の構築方法は、不透過水層が形成された領域内に仕切材を配置し、仕切材で仕切られた区画にセルフレベリング材をそれぞれ打設する。
【００１１】
すなわち仕切材で仕切られた区画毎に下地の上面の水平出しを行えばよいため、容易に下地の水平レベル精度を高くでき、プレキャストコンクリート基礎部材を用いて工期を短縮することができる。
【００１２】
また、仕切材が弾性部材であれば、仕切材の上面の高さを容易に調整することができる。さらに、プレキャストコンクリート基礎部材が仕切材を跨って設置される場合でも、弾性部材であれば追従して変形するので、不安定な状態になることがない。
【００１３】
また、加圧固定手段により仕切材の上面の高さを調整してそれに合わせて水糸を配置し、その水糸の高さに合わせてセルフレベリング材を打設する方法であれば、効率的に高精度の水平レベルを確保することができる。
【００１４】
さらに、水糸が水分による伸縮の少ない材料であれば、打設されたセルフレベリング材が接触しても弛んだりすることがなく、水平位置が変化しないので、水糸の支持間隔を広くできるうえに、高精度の水平出しを行うことができる。
【図面の簡単な説明】
【００１５】
【図１】（ａ）〜（ｄ）は、実施例の基礎の構築方法の概略構成を示す説明図である。
【図２】水糸の配置方法の詳細を示すための説明図である。
【発明を実施するための形態】
【００１６】
以下、本発明の実施の形態について、図面を参照しながら実施例に基づいて説明する。
【実施例】
【００１７】
先ず、実施例の基礎の構築方法について説明する。本実施例の基礎の構築方法は、プレキャストコンクリート基礎部材９を用いた方法である。図１（ａ）〜図１（ｄ）は、実施例の基礎の構築方法の概略構成を示している。
【００１８】
この実施例の基礎の構築方法では、図１（ａ）に示したように、まず、小型重機や人力などで地面１を掘削し、溝部２を設ける。溝部２の底面は、転圧などによって均し固め、底面の高さ（レベル）を測定する。
【００１９】
そして、この溝部２の底面に、ビニールシートなどの不透過水性シート３を敷設し、不透過水層とする。この実施例で説明する溝部２は、平面視長方形又は帯状に形成される。
【００２０】
続いて、図１（ｂ）に示したように、溝部２の長手方向に所定の間隔を置いて、仕切材４，・・・を配置する。仕切材４は、不透過水層となった不透過水性シート３の上に、溝部２を横断するように配置される。
【００２１】
そして、溝部２を横断するように配置された複数の仕切材４，・・・によって、複数の区画４１，・・・が溝部２内に形成される。この仕切材４は、発泡材などの弾性部材によって形成される。例えば、ウレタン素材の直方体状又は棒状に成形された弾性発泡体を、仕切材４として使用することができる。
【００２２】
この仕切材４に対しては、図２に示すように、加圧固定手段としてのペグ７を刺し込み、ペグ７の上面の高さを必要な天端レベルに合わせる。すなわち仕切材４は、弾性部材によって形成されているので、釘状のペグ７を刺し込んで押えると、所望する高さに位置合わせをして固定することができる。
【００２３】
そこで、仕切材４を押え込んだペグ７の上面の高さ（レベル）を、後述するセルフレベリング材８によって形成される目標とする上面８ａの高さ（水平レベル）に合わせる。
【００２４】
このペグ７は、複数の仕切材４，・・・に対して同じ高さとなるように刺し込まれる。そして、溝部２の端部に設けた水杭５の上部と、溝部２の長手方向に間隔を置いて配置された複数の仕切材４，・・・のペグ７，・・・の上面とを繋ぐように水糸６を配置する。
【００２５】
この水糸６には、水分による伸縮の影響の少ない釣り糸などに多用されるナイロンなどから成る糸が好適に用いられる。すなわち、後工程において、水糸６の下面に水分を含有するセルフレベリング材８が接触することになるため、その水分によって弛まない水糸６が好ましい。
【００２６】
このようにして水糸６，６の高さは、仕切材４，・・・を跨いでも同じ高さになるように調整される。要するに、仕切材４と水糸６との交差部では、加圧固定手段としてのペグ７の上面で水糸６が支持されるので、その高さは仕切材４を跨いでも同じ高さになる。
【００２７】
続いて、図１（ｃ）に示したように、水糸６，６を目安として、仕切材４，・・・で仕切られた区画４１，・・・に、セルフレベリング材８，・・・をそれぞれ打設する。すなわち、水糸６，６の高さで、セルフレベリング材８の打設量を調整する。
【００２８】
ここで、セルフレベリング材８は、自己水平性の高いスラリー状のセメント系材料で、流動性が高い材料であるため、トンボなどで均すことによって容易に平滑な水平面を上面に形成させることができる。
【００２９】
最後に、図１（ｄ）に示したように、セルフレベリング材８が硬化した後に形成された下地の上面８ａ，・・・に、仕切材４，４を跨るように、二点鎖線で示したプレキャストコンクリート基礎部材９を設置すると、この実施例の基礎の構築方法が完了する。
【００３０】
次に、実施例の作用効果について説明する。
このような実施例の基礎の構築方法は、地面１に、底面が不透過水性シート３によって不透過水層となる溝部２を設け、その溝部２内の不透過水性シート３の上方を複数の仕切材４，・・・によって仕切る。
【００３１】
そして、仕切材４，・・・で仕切られた区画４１，・・・にセルフレベリング材８，・・・をそれぞれ打設し、セルフレベリング材８，・・・が硬化した後に、形成された下地の上面８ａ，・・・にプレキャストコンクリート基礎部材９を設置する。
【００３２】
すなわち仕切材４，・・・で仕切られた区画４１毎に下地の上面８ａの水平出しを行えばよいため、容易に下地の水平レベル精度を高くでき、プレキャストコンクリート基礎部材９を用いて工期を短縮することができる。
【００３３】
また、本実施例では、仕切材４は弾性部材であるため、仕切材４の上部が下地の水平な上面８ａから多少上方に飛び出していても、跨いで配置されるプレキャストコンクリート基礎部材９に押し潰されるので、邪魔にならない。
【００３４】
また、仕切材４が弾性部材であるので、仕切材４の上面の高さをペグ７で押えることによって容易に調整することができる。そして、そのペグ７の上面の高さを利用して水糸６を配置し、その水糸６の高さに合わせてセルフレベリング材８を打設する方法であれば、効率的に高精度の水平レベルを確保することができる。
【００３５】
要するに、仕切材４で仕切られたそれぞれの区画４１のセルフレベリング材８で形成する下地の上面８ａは、水糸６の下面又は上面と略同じ高さに合わせることで、容易に水平面にすることができる。
【００３６】
さらに、水糸６が水分による伸縮の少ない材料であれば、打設されたセルフレベリング材８が接触しても弛んだりすることがなく、水平位置が変化しないので、水糸６の支持間隔を広くできる。すなわち、仕切材４，４の配置間隔を広くして効率的に施工しても、高精度の水平出しを行うことができる。
【００３７】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００３８】
例えば、前記実施例では、仕切材４を跨いで配置されるプレキャストコンクリート基礎部材９について説明したが、これに限定されるものではなく、区画４１，・・・毎に短尺状のプレキャストコンクリート基礎部材をそれぞれ設置することもできる。また、このように区画４１，・・・毎にプレキャストコンクリート基礎部材を設置する場合は、仕切材は弾性部材でなくてもよい。
【００３９】
さらに、前記実施例では、仕切材４の上面高さをペグ７によって調整して水糸６を配置する場合について説明したが、これに限定されるものではない。すなわち、水分による伸縮の少ない水糸６を使用するだけでも、セルフレベリング材８が接触しても弛んだりすることがなくなるため、高精度の水平出しを行うことができるようになる。
【符号の説明】
【００４０】
１      地面
２      溝部
３      不透過水性シート（不透過水層）
４      仕切材
６      水糸
７      ペグ（加圧固定手段）
８      セルフレベリング材
８ａ    上面
９      プレキャストコンクリート基礎部材
【図１】
0006641219.tif 000002
【図２】
0006641219.tif 000003